(57)【要約】【課題】  ユーザの記録紙セット性を向上させるとともに、装置の小型化を実現した画像形成装置を提供すること。【解決手段】  記録媒体に記録を行う記録手段と、前記記録手段を給紙する給紙手段と、被読取対象物から文字や画像を読取る画像読取手段を有する画像形成装置において、前記記録媒体を重力方向と略平行に配置する収納部と、前記記録媒体の重力方向下方に前記記録手段を設け、前記画像読取手段を前記記録媒体と略平行かつ前記記録手段の重力方向上方に配置し、前記記録手段を壁に設置可能な取付け手段を有し、前記給紙手段を前記収納部と壁との間に設けたことを特徴とする画像形成装置。【選択図】  図１
2006240776.tif 000002
【特許請求の範囲】
【請求項１】
記録媒体に記録を行う記録手段と、前記記録媒体を給紙する給紙手段と、被読取対象物から文字や画像を読取る画像読取手段を有する画像形成装置において、前記記録媒体を重力方向と略平行に配置する収納部と、前記記録媒体の重力方向下方に前記記録手段を設け、前記画像読取手段を前記記録媒体と略平行かつ前記記録手段の重力方向上方に配置し、前記記録手段を壁に設置可能な取付け手段を有し、前記給紙手段を前記収納部と壁との間に設けたことを特徴とする画像形成装置。
【請求項２】
前記給紙手段は、複数枚ある記録媒体から順次１枚ずつ分離を行う分離手段を有することを特徴とする請求項１記載の画像形成装置。
【請求項３】
前記画像読取手段は、被読取対象物を所定の位置に固定し、前記被読取対象物に対して相対的に移動させることにより走査することを特徴とする請求項１〜２記載の画像形成装置。
【請求項４】
前記画像読取手段は、被読取対象物を所定の位置に固定するための圧板を有し、前記圧板は前記画像読取手段下側に設けられたヒンジを中心に回動するように構成したことを特徴とする請求項１〜３記載の画像形成装置。
【請求項５】
前記記録装置は、記録手段が信号に応じてインクを吐出して記録を行うインクジェット記録方式である請求項１〜４記載の画像形成装置。
【発明の詳細な説明】
【技術分野】
【０００１】
本発明はファクシミリ装置、複写装置等に利用される画像読取装置及びこれを用いた画像形成装置に関するものである。
【背景技術】
【０００２】
従来、壁に掛けるタイプのフラットベッド対応ファクシミリ等の画像形成装置は、図１に示すように、記録紙１を記録部２へ給紙する給紙部３の位置は、記録紙１に対して壁側と反対側にあり、最上部の記録紙を順次１枚ずつ記録部２へ給紙していた。図の４はフラットベッドスキャナである。
【０００３】
又、従来例としては、例えば特許文献１と特許文献２をあげることが出来る。
【特許文献１】特開２００３−２９８７９０号公報
【特許文献２】特開２００４−６９８８４号公報
【発明の開示】
【発明が解決しようとする課題】
【０００４】
（１）しかしながら、給紙部３が上記のような位置の構成になっていると、記録紙１を装置本体にセットする場合、壁Ｚが記録紙１と接近しているため、ユーザが記録紙１をセットしずらいという問題点があった。
【０００５】
そこで本発明の目的は、ユーザの記録紙セット性を向上させるとともに、装置の小型化を実現した画像形成装置を提供することである。
【課題を解決するための手段】
【０００６】
（１）上記目的を達成するための本出願に係わる代表的な構成は、記録媒体に記録を行う記録手段と、前記記録媒体を給紙する給紙手段と、被読取対象物から文字や画像を読取る画像読取手段を有する画像形成装置において、前記記録媒体を重力方向と略平行に配置する収納部と、前記記録媒体の重力方向下方に前記記録手段を設け、前記画像読取手段を前記記録媒体と略平行かつ前記記録手段の重力方向上方に配置し、前記記録手段を壁に設置可能な取付け手段を有し、前記給紙手段を前記収納部と壁との間に設けたことを特徴とする。
【０００７】
上記構成によれば、記録紙の収納部は壁より離れた位置となるため、ユーザの記録紙セット性を向上させることが可能となる。また、装置の奥行き方向を短くでき、装置の小型化を実現できる。
【発明の効果】
【０００８】
以上説明したように、本発明によれば、ユーザの記録紙セット性を向上させることができ、さらには装置の小型化を実現できる。
【発明を実施するための最良の形態】
【０００９】
（第１の実施例）
以下、図２を参照して本発明による記録装置の実施の形態を詳細に説明する。
【００１０】
まず、記録装置Ｘの裏面に設けてある図示しない切り欠き穴に、壁Ｚに設けてある図示しない留め金フックにて引っ掛けて、壁Ｚに貼り付けられたように記録装置Ｘを取付けている。
【００１１】
記録系Ｂについて説明をする。
【００１２】
本記録装置Ｘの記録系としては、一般にインクジェット記録装置と称されるものを採用している。
【００１３】
記録系Ｂはパソコン等の上位機器から伝送された画信号、或いは文字データ等の画信号に応じて、給紙系Ａより供給された記録紙Ｓに画像を記録するものであり、記録紙Ｓの下部に配置している。
【００１４】
詳細に説明をすると、記録紙押え１０は、ＬＦローラ１１側に押圧されてあり給紙系Ａより搬送された記録紙Ｓの上ガイドを兼ねながら、ピンチローラ１０ａをＬＦローラ１１に対向させている。そして記録カートリッジ１２とプラテン板１３との間を記録紙Ｓが搬送され、記録カートリッジ１２により記録動作を行う。本実施例に於いては、図示しないモータ及び駆動系により記録カートリッジ１２は、キャリッジ１２ａに搭載され、キャリッジシャフト１２ｂを摺動することで、記録紙Ｓの幅方向に対して移動しながらシリアル印字するよう構成している。
【００１５】
次に印字記録後の記録紙Ｓは、排紙ローラ１４ａと対向する拍車ローラ１４ｂにより印字面を汚さないように記録紙２を図示する矢印方向に機外へと搬送する。
【００１６】
次に、画像読取部であるフラットベットスキャナ１５を説明する。密着型イメージセンサ１６はキャリッジ１７に支持され、副走査方向に平行なガイドシャフト１８に沿って移動可能である。キャリッジ１７の移動はモータ（図示しない）から駆動を受けたタイミングベルト（図示しない）によって行われる。イメージセンサ１６は図示しない光源とレンズと光電変換素子を内蔵しており、原稿載置台としてのコンタクトガラス１９の裏面に一定の距離を保って移動する。読み取られた画像はフレキケーブル（図示しない）により本体画像処理部（図示しない）に電装される。
【００１７】
コンタクトガラス１９前面上に載置した原稿を押える圧板２０は、圧板２０の下部を中心に回動可能となっている。ユーザは圧板上部を開き、原稿をコンタクトガラス１９との間に挟み込み、スキャン動作を開始することができる。
【００１８】
次に本発明の給紙系Ａのレイアウトについて説明する。
【００１９】
給紙系Ａは記録紙収納部Ｃと壁Ｚとの間に位置しているため、記録紙収納部Ｃは従来例と比較すると、壁より離れた位置となっている。そのため、ユーザは従来と比べ記録紙を容易にセットすることが可能となる。
【００２０】
さらに、記録紙収納部Ｃは記録紙のセット性を考慮して、壁側に向かって上部が傾いた状態になっている（図では約８０°）。そのため記録収納部Ｃの傾きを考慮した装置奥行き方向のスペースの中に、給紙系Ａが入り込んでいるため、従来例と比較すると装置奥行き方向の長さを短くでき、小型することが可能となる。
【００２１】
セットされた記録紙Ｓは弾性部材２４によって分離ローラ２１に押圧し、分離パッド２２によって最下部の記録紙が順次１枚ずつ分離され、給紙ローラ２３ａと給紙コロ２３ｂによって搬送され、記録部Ｂへと導かれる。
【図面の簡単な説明】
【００２２】
【図１】従来の画像形成装置の説明図である。
【図２】本発明に係る画像形成装置の断面説明図である。
【符号の説明】
【００２３】
１  記録紙
２  記録部
３  給紙部
４  フラットベット
１０  記録紙押え
１０ａ  ピンチローラ
１１  ＬＦローラ
１２  記録カートリッジ
１２ａ  キャリッジ
１２ｂ  キャリッジシャフト
１３  プラテン板
１４ａ  排紙ローラ
１４ｂ  拍車ローラ
１５  フラッドベッドスキャナ
１６  密着型イメージセンサ
１７  キャリッジ
１８  ガイドシャフト
１９  コンタクトガラス
２０  圧板
２１  分離ローラ
２２  分離パッド
２３ａ  給紙ローラ  ２３ｂ  給紙コロ
Ａ  給紙系
Ｂ  記録系
Ｓ  記録紙
Ｘ  記録装置
Ｚ  壁
【図１】
2006240776.tif 000003
【図２】
2006240776.tif 000004